(57)【要約】【課題】天板２の上方に露出する環状のバーナヘッド部３５を有するバーナ３と、バーナヘッド部で囲われるバーナ内周空間を通して上方にのびる支持パイプ４１の上端に感熱ヘッド４２を設けて成る鍋底温度センサ４とを備えるガスコンロにおいて、煮こぼれ汁がバーナ内周空間を通してコンロ本体内に落下することを防止できると共に、コンロ本体内が負圧になってもバーナ内周空間を介しての二次空気の供給遮断やバーナ内周空間への燃焼排気の引込みといった不具合を生じないようにする。【解決手段】バーナ３に、天板２に開設したバーナ用開口２１を上方から覆うベース板部３３を設け、その上面にバーナヘッド部３５を支持する中空の支柱部３４を立設する。ベース板部３３の中心部に支持パイプ４１を挿通するセンサ挿通孔３３ｃを形成する。また、センサ挿通孔３３ｃからの煮こぼれ汁の落下を防止する封止部材５を設ける。【選択図】図３
2008175506.tif 000002
【特許請求の範囲】
【請求項１】
コンロ本体と、コンロ本体の上面を覆う天板と、外周に多数の炎孔が設けられた環状のバーナヘッド部を有するバーナと、上下方向に長手の支持パイプの上端に感熱ヘッドを設けて成る鍋底温度センサとを備え、バーナはバーナヘッド部が天板の上方に露出するように設置され、鍋底温度センサは、支持パイプがバーナヘッド部で囲われるバーナ内周空間を通して上方にのびて、感熱ヘッドがバーナで加熱される調理容器の底面に当接するように設置される鍋底温度センサ付きガスコンロにおいて、
バーナは、天板に開設したバーナ用開口を上方から覆うバーナ用開口より大径のベース板部を有し、ベース板部の上面に、ベース板部の中心部から径方向外方に離れた部分の周方向の少なくとも１箇所に位置させて、バーナヘッド部を支持する中空の支柱部が立設され、支柱部の内部空間を介してバーナヘッド部に混合気が供給されるようにバーナが構成され、
ベース板部の中心部には鍋底温度センサの支持パイプを挿通するセンサ挿通孔が形成され、バーナ内周空間に落下した煮こぼれ汁がセンサ挿通孔を通して下方に落下することを防止する防水手段を備えることを特徴とする鍋底温度センサ付きガスコンロ。
【請求項２】
前記センサ挿通孔は前記感熱ヘッドより大径に形成され、前記防水手段は、センサ挿通孔とこれに挿通される前記支持パイプとの間の隙間を封止する封止部材で構成されることを特徴とする請求項１記載の鍋底温度センサ付きガスコンロ。
【請求項３】
前記封止部材は、センサ挿通孔に嵌合する筒部と、筒部の上端から径方向内方に張り出し前記支持パイプとの間の隙間を閉塞する上フランジ部とを有することを特徴とする請求項２記載の鍋底温度センサ付きガスコンロ。
【請求項４】
前記封止部材は、前記筒部の下端から径方向外方に張り出し前記ベース板部の下面に接する下フランジ部を有することを特徴とする請求項３記載の鍋底温度センサ付きガスコンロ。
【請求項５】
前記封止部材は、前記上フランジ部において前記支持パイプに固定され、前記下フランジ部において前記ベース板部にねじ止めされることを特徴とする請求項４記載の鍋底温度センサ付きガスコンロ。
【請求項６】
前記封止部材はばねで上方に付勢され、このばねの付勢力で前記下フランジ部が前記ベース板部の下面に押し付けられることを特徴とする請求項４記載の鍋底温度センサ付きガスコンロ。
【請求項７】
前記ベース板部の中心部に上方にのびる筒部が立設され、筒部の内周空間で前記センサ挿通孔が構成され、筒部の上端部内周に前記感熱ヘッドが挿入されて、感熱ヘッドにより筒部の上端が実質的に閉塞され、筒部で前記防水手段が構成されることを特徴とする請求項１記載の鍋底温度センサ付きガスコンロ。
【発明の詳細な説明】
【技術分野】
【０００１】
本発明は、上下方向に長手の支持パイプの上端に感熱ヘッドを設けて成る鍋底温度センサを備えるガスコンロに関する。
【背景技術】
【０００２】
従来、この種の鍋底温度センサ付きガスコンロにおいては、バーナとして、外周に多数の炎孔が設けられた環状のバーナヘッド部を有するバーナを用い、コンロ本体の上面を覆う天板に開設したバーナ用開口を通してバーナヘッド部を天板の上方に露出させている。そして、鍋底温度センサは、支持パイプがコンロ本体内の固定部からバーナヘッド部で囲われるバーナ内周空間を通して上方にのび、感熱ヘッドがバーナで加熱される調理容器の底面に当接するように設置されている（例えば、特許文献１参照）。
【０００３】
上記従来例のガスコンロでは、バーナ内周空間がコンロ本体内にそのまま連通している。そして、炎孔から噴出する混合気の燃焼部にコンロ本体内からバーナ内周空間とバーナヘッド部の上方空間とを経由して燃焼用二次空気が供給されるようにしている。
【０００４】
然し、このものでは、煮こぼれを生じた場合、煮こぼれ汁がバーナ内周空間を通してコンロ本体内に落下してしまう。また、ガスコンロが厨房家具のカウンタトップに落し込むようにして設置するドロップイン式コンロである場合、厨房家具の扉を勢いよく開けると、コンロ本体内が負圧になることがある。そして、コンロ本体内が負圧になると、上記従来例のものでは、バーナ内周空間を介しての二次空気の供給が断たれ、更には、高温の燃焼排気がバーナ内周空間に引込まれ、支持パイプに挿通するリード線の焼損を生ずることもある。
【特許文献１】特開平１１−９４２４５号公報（図１）
【発明の開示】
【発明が解決しようとする課題】
【０００５】
本発明は、以上の点に鑑み、煮こぼれ汁がバーナ内周空間を通してコンロ本体内に落下することを防止できると共に、コンロ本体内が負圧になってもバーナ内周空間を介しての二次空気の供給遮断やバーナ内周空間への燃焼排気の引込みといった不具合を生じないようにした鍋底温度センサ付きガスコンロを提供することをその課題としている。
【課題を解決するための手段】
【０００６】
上記課題を解決するために、本発明は、コンロ本体と、コンロ本体の上面を覆う天板と、外周に多数の炎孔が設けられた環状のバーナヘッド部を有するバーナと、上下方向に長手の支持パイプの上端に感熱ヘッドを設けて成る鍋底温度センサとを備え、バーナはバーナヘッド部が天板の上方に露出するように設置され、鍋底温度センサは、支持パイプがバーナヘッド部で囲われるバーナ内周空間を通して上方にのびて、感熱ヘッドがバーナで加熱される調理容器の底面に当接するように設置される鍋底温度センサ付きガスコンロにおいて、バーナは、天板に開設したバーナ用開口を上方から覆うバーナ用開口より大径のベース板部を有し、ベース板部の上面に、ベース板部の中心部から径方向外方に離れた部分の周方向の少なくとも１箇所に位置させて、バーナヘッド部を支持する中空の支柱部が立設され、支柱部の内部空間を介してバーナヘッド部に混合気が供給されるようにバーナが構成され、ベース板部の中心部には鍋底温度センサの支持パイプを挿通するセンサ挿通孔が形成され、バーナ内周空間に落下した煮こぼれ汁がセンサ挿通孔を通して下方に落下することを防止する防水手段を備えることを特徴とする。
【０００７】
本発明によれば、バーナ内周空間に落下した煮こぼれ汁はベース板部で受け止められる。そして、ベース板部に形成したセンサ挿通孔からの煮こぼれ汁の落下は防水手段により防止される。また、ベース板部とバーナヘッド部との間に支柱部以外の部分において空隙が確保される。そのため、ベース板部で受け止められた煮こぼれ汁はこの空隙を通してベース板部の外周に流れ、そこからバーナ用開口より外方の天板上の部分に流れる。従って、コンロ本体内への煮こぼれ汁の落下が防止される。
【０００８】
また、天板の上方において、バーナ外方からベース板部とバーナヘッド部との間に確保される空隙を介してバーナ内周空間に空気が流れ、炎孔から噴出する混合気の燃焼部にバーナ内周空間からバーナヘッド部の上方空間を介して燃焼用二次空気が供給される。また、ベース板部にセンサ挿通孔が形成されていても、バーナ内周空間とコンロ本体内とのセンサ挿通孔を介しての連通が防水手段により断たれる。そのため、バーナ内周空間はコンロ本体の内圧変化の影響を受けない。従って、コンロ本体内が負圧になっても、バーナ内周空間を介しての二次空気の供給が断たれたり、バーナ内周空間に燃焼排気が引込まれるといった不具合は生じない。
【０００９】
ところで、ベース板部はこれに落下する煮こぼれ汁で汚れるため、ベース板部を取外して丸洗いできるようにすることが望まれる。そのため、本発明において、センサ挿通孔は感熱ヘッドより大径に形成され、防水手段は、センサ挿通孔とこれに挿通される支持パイプとの間の隙間を封止する封止部材で構成されることが望ましい。このようにセンサ挿通孔を感熱ヘッドより大径にすることでベース板部を感熱ヘッドの上方に抜き取ることができ、ベース板部を丸洗いすることが可能になる。この場合、センサ挿通孔と支持パイプとの間に隙間が空くが、この隙間からの煮こぼれ汁の落下は封止部材により防止される。
【００１０】
また、封止部材は、センサ挿通孔に嵌合する筒部と、筒部の上端から径方向内方に張り出し支持パイプとの間の隙間を閉塞する上フランジ部とを有するものに構成することが望ましい。ここで、感熱ヘッドと支持パイプとの径差は大きく、センサ挿通孔を感熱ヘッドより大径に形成すると、センサ挿通孔と支持パイプとの間にかなり大きな隙間が空く。そのため、封止部材としてＯリング等の通常のシールリングを用いることは困難である。これに対し、封止部材を上記の如く筒部と上フランジ部とを有するものに構成すれば、センサ挿通孔と支持パイプとの間の隙間が大きくなっても、この隙間からの煮こぼれ汁の落下を筒部と上フランジ部とで防止できる。
【００１１】
封止部材は、更に、筒部の下端から径方向外方に張り出しベース板部の下面に接する下フランジ部を有するものであることが望ましい。これによれば、センサ挿通孔と筒部との間の僅かな隙間に煮こぼれ汁が侵入しても、ベース板部の下面に接する下フランジ部によりコンロ本体への煮こぼれ汁の落下が防止される。
【００１２】
また、上記封止部材が、上フランジ部において支持パイプに固定され、下フランジ部においてベース板部にねじ止めされるように構成されていれば、支持パイプが封止部材を介してベース板部に固定されることになる。そのため、支持パイプを固定するブラケットをコンロ本体内に設ける必要がなく、部品点数の削減を図る上で有利である。
【００１３】
但し、この場合には、ベース板部を丸洗いする際、ベース板部を鍋底温度センサごと取外した後に、ベース板部を裏返して下フランジ部のねじ止めを解除することが必要になり、作業が面倒になる。これに対し、封止部材をばねで上方に付勢して、このばねの付勢力で下フランジ部がベース板部の下面に押し付けられるようにすれば、ベース板部を持ち上げるだけで、ベース板部から封止部材が離脱する。従って、面倒な作業を要することなく、ベース板部を取外して丸洗いすることができる。
【００１４】
また、本発明においては、ベース板部の中心部に上方にのびる筒部が立設され、筒部の内周空間でセンサ挿通孔が構成され、筒部の上端部内周に感熱ヘッドが挿入されて、感熱ヘッドにより筒部の上端が実質的に閉塞されるようにしても良い。これによれば、バーナ内周空間に落下した煮こぼれ汁がセンサ挿通孔に侵入することを筒部で防止することができる。即ち、筒部により防水手段が構成される。また、ベース板部を感熱ヘッドの上方に抜き取ることができ、ベース板部を丸洗いすることが可能になる。
【発明を実施するための最良の形態】
【００１５】
図１は本発明の第１実施形態のガスコンロを示している。このガスコンロは、コンロ本体１と、コンロ本体１の上面を覆う天板２と、バーナ３と、鍋底温度センサ４とを備えている。
【００１６】
天板２はガラス又は金属の厚板で形成されている。天板２にはバーナ用開口２１が開設されている。バーナ用開口２１の口縁部には、天板２上に落下した煮こぼれ汁がバーナ用開口２１からコンロ本体１内に落下することを防止するため、天板２の上面より盛り上がるパッキン２２が装着されている。また、天板２上には、バーナ用開口２１を囲うようにして図示省略した五徳が載置される。そして、五徳に載置する調理容器がバーナ３で加熱される。
【００１７】
バーナ３は、コンロ本体１内に設置される混合管３１と、混合管３１に接続され天板２上に露出するバーナ本体３２とで構成されている。コンロ本体１内には、混合管３１の上流端の流入口３１ａに臨む図示省略したガスノズルが設けられている。そして、ガスノズルからの燃料ガスと流入口３１ａから吸込まれる一次空気との混合気が混合管３１内で生成される。混合管３１の下流端部は、上方に屈曲して天板２のバーナ用開口２１に挿入される内外２重の筒状に形成されている。
【００１８】
バーナ本体３２は、バーナ用開口２１より大径のベース板部３３と、ベース板部３３の上面に、図２に示す如く、ベース板部３３の中心部から径方向外方に離れた部分の周方向複数箇所に位置させて立設した中空の支柱部３４と、これら支柱部３４を介してベース板部３３の上方に支持される環状のバーナヘッド部３５とを有している。ベース板部３３は、その下面に突設した内外２重の環状突起３３ａ，３３ｂにおいて混合管３１の下流端に上方から嵌合する。そして、ベース板部３３により天板２のバーナ用開口２１が上方から覆われる。
【００１９】
各支柱部３４の内部空間はベース板部３４を貫通して混合管３１に連通している。そして、混合管３１からの混合気が支柱部３４の内部空間を介してバーナヘッド部３５に供給される。
【００２０】
バーナヘッド部３５は、ベース板部３３及び支柱部３４と一体成形された下半部と、下半部に着脱自在に載置されるバーナキャップ３５ａから成る上半部とで構成されている。バーナキャップ３５ａの下面外周部には多数の歯が垂設されている。かくして、バーナヘッド部３５の外周に、バーナキャップ３５ａの外周部の歯間の隙間で構成される多数の炎孔３５ｂが設けられる。そして、バーナヘッド部３５に供給された混合気が炎孔３５ｂから噴出して燃焼する。
【００２１】
鍋底温度センサ４は、上下方向に長手の支持パイプ４１と、支持パイプ４１の上端に設けられた感熱ヘッド４２とで構成される。感熱ヘッド４２にはサーミスタ等の温度検出素子が内蔵されている。そして、温度検出素子に接続されるリード線４３が支持パイプ４１を通してコンロ本体１内の図示省略したコントローラに接続される。また、感熱ヘッド４２は支持パイプ４１に対し感熱ヘッド４２に内蔵するばね（図示せず）で上方に付勢される。
【００２２】
支持パイプ４１の下端部は、コンロ本体１内に設けられたブラケット１１にこれに取付けるバンド部材１２との間に挟み込むようにして固定されている。そして、支持パイプ４１は、ベース板部３３の中心部に形成したセンサ挿通孔３３ｃとバーナヘッド部３５で囲われるバーナ内周空間とを通して上方にのび、支持パイプ４１の上端の感熱ヘッド４２が五徳に載置する調理容器の底面に当接する。かくして、鍋底温度センサ４により調理容器の温度が検出される。
【００２３】
ところで、調理容器からの煮こぼれを生じて、煮こぼれ汁がバーナ内周空間に落下した場合、この煮こぼれ汁はベース板部３３で受け止められる。ここで、第１実施形態では、センサ挿通孔３３ｃが支持パイプ４１とほぼ同径に形成されている。そのため、センサ挿通孔３３ｃは支持パイプ４１で閉塞されることになる。従って、ベース板部３３に落下した煮こぼれ汁がセンサ挿通孔３３ｃからコンロ本体１内に落下することを防止できる。また、ベース板部３３とバーナヘッド部３５との間に支柱部３４以外の部分において空隙が確保される。そのため、ベース板部３３で受け止められた煮こぼれ汁はこの空隙を通してベース板部３３の外周に流れ、そこからバーナ用開口２１より外方の天板２上の部分に流れる。従って、コンロ本体１内への煮こぼれ汁の落下が防止される。
【００２４】
また、天板１の上方において、バーナ外方からベース板部３３とバーナヘッド部３５との間に確保される空隙を介してバーナ内周空間に空気が流れる。そして、炎孔３５ｂから噴出する混合気の燃焼部にバーナ内周空間からバーナヘッド部３５の上方空間（バーナヘッド部３５の上面と調理容器の底面との間の空間）を介して燃焼用二次空気が供給される。また、センサ挿通孔３３ｃは支持パイプ４１により閉塞されるため、バーナ内周空間とコンロ本体１内とのセンサ挿通孔３３を介しての連通が断たれている。従って、バーナ内周空間はコンロ本体１の内圧変化の影響を受けない。かくして、コンロ本体１内が負圧になっても、バーナ内周空間を介しての二次空気の供給が断たれたり、バーナ内周空間に燃焼排気が引込まれるといった不具合は生じない。
【００２５】
ここで、上記第１実施形態では、センサ挿通孔３３ｃを支持パイプ４１とほぼ同径に形成して、センサ挿通孔３３ｃが支持パイプ４１で閉塞されるようにしている。そのため、バーナ内周空間に落下した煮こぼれ汁がセンサ挿通孔３３ｃを通して下方に落下することを防止する防水手段が支持パイプ４１自体で構成されることになる。
【００２６】
ところで、ベース板部３３はこれに落下する煮こぼれ汁で汚れるため、ベース板部３３を取外して丸洗いできるようにすることが望まれる。然し、上記第１実施形態では、ベース板部３３を感熱ヘッド４２の上方に抜き取ることができない。そこで、ベース板部３３を取外して丸洗いできるようにした図３乃至図７に示す第２乃至第６実施形態について以下説明する。尚、図３乃至図７において、上記第１実施形態と同様の部材、部位には上記と同一の符号を付している。
【００２７】
図３に示す第２実施形態では、センサ挿通孔３３ｃを感熱ヘッド４２より大径に形成している。そのため、ベース板部３３を感熱ヘッド４２の上方に抜き取って丸洗いすることができる。
【００２８】
この場合、センサ挿通孔３３ｃと支持パイプ４１との間に隙間が空くため、この隙間を防水手段たる封止部材５で封止している。ここで、感熱ヘッド４２と支持パイプ４１との径差はかなり有り、センサ挿通孔３３ｃを感熱ヘッド４２より大径に形成すると、センサ挿通孔３３ｃと支持パイプ４１との間の隙間がかなり大きくなる。そのため、封止部材としてＯリング等の通常のシールリングを用いることは困難である。
【００２９】
そこで、第２実施形態では、封止部材５を、センサ挿通孔３３ｃに嵌合する筒部５ａと、筒部５ａの上端から径方向内方に張り出し支持パイプ４１との間の隙間を閉塞する上フランジ部５ｂとを有する板金のプレス成形品で構成している。これによれば、センサ挿通孔３３ｃと支持パイプ４１との間にかなり大きな隙間が空いても、この隙間からの煮こぼれ汁の落下が封止部材５の筒部５ａと上フランジ部５ｂとにより防止される。
【００３０】
尚、上フランジ部５ｂの内周部分は上方に立上る筒状に形成されている。そして、封止部材５を上フランジ部５ｂの内周部分で支持パイプ４１にかしめ固定している。また、ベース板部３３の下面にセンサ挿通孔３３ｃの周壁部となるボス部３３ｄを突設し、センサ挿通孔３３ｃと封止部材５の筒部５ａとの嵌合長さを比較的長く確保できるようにしている。
【００３１】
図４は第３実施形態を示している。第３実施形態の封止部材５は、第２実施形態と同様に筒部５ａと上フランジ部５ｂとを有し、更に、筒部５ａの下端から径方向外方に張り出してベース板部３３のボス部３３ｄの下面に接する下フランジ部５ｃを有している。
【００３２】
これによれば、センサ挿通孔３３ｃと筒部３６ｂとの間の僅かな隙間に煮こぼれ汁が侵入しても、下フランジ部５ｃによりコンロ本体１への煮こぼれ汁の落下が防止される。
【００３３】
また、第３実施形態において、上フランジ部５ｂは第２実施形態と同様にその内周部分で支持パイプ４１にかしめ固定されている。そして、下フランジ部５ｃをベース板部３３のボス部３３ｄにねじ止めしている。これによれば、支持パイプ４１は封止部材５を介してベース板部３３に固定される。そのため、コンロ本体１内に上記第１、第２実施形態の如く支持パイプ４１を固定するためのブラケット１１及びバンド部材１２を設ける必要がなく、部品点数の削減を図ることができる。
【００３４】
ベース板部３３を丸洗いする際には、ベース板部３３を鍋底温度センサ４ごと持ち上げた後、ベース板部３３を裏返して、下フランジ部５ｃのベース板部３３に対するねじ止めを解除する。尚、鍋底温度センサ４が持ち上げ可能となるように、支持パイプ４１の下端から導出されるリード線４３の部分に弛みを付けておく。
【００３５】
次に、図５に示す第４実施形態について説明する。第４実施形態のものは、上記第３実施形態と同様の封止部材５を備えている。然し、第４実施形態の封止部材５の下フランジ部５ｃはベース板部３３に固定されていない。代わりに、封止部材５をばね６で上方に付勢し、下フランジ部５ｃをばね６の付勢力でベース板部３３のボス部３３ｄの下面に押し付けている。
【００３６】
ここで、鍋底温度センサ４の支持パイプ４１の下部にはばね受け６１が外挿されている。ばね受け６１は、ばね６を受け入れる上部の大径筒部６１ａと、ばね６の下端を受ける中間の段部６１ｂと、コンロ本体１内のブラケット１１にバンド部材１２で固定される下部の小径筒部６１ｃとを有する段付き形状の筒体で構成されている。支持パイプ４１の下端部はばね受け６１の小径筒部６１ｃに摺動自在に挿通されている。また、封止部材５の上フランジ部５ｂはその内周部分で支持パイプ４１にかしめ固定されている。そして、上フランジ部５ｂの下面にばね６の上端を当接させている。かくして、封止部材５が支持パイプ４１と共にばね６で上方に付勢され、封止部材５の下フランジ部５ｃがベース板部３３のボス部３３ｄの下面に押し付けられる。
【００３７】
これによれば、ベース板部３３を持ち上げるだけで、ベース板部３３から封止部材５が離脱する。従って、封止部材５のねじ止め解除等の面倒な作業を要することなく、ベース板部３３を取外して丸洗いすることができる。
【００３８】
尚、封止部材５の下フランジ部５ｃには、ばね受け６１の大径筒部６１ａに摺動自在に外挿される筒体５ｄが連結されている。そして、筒体５ｄの下端に内方に屈曲するストッパ部５ｅを形成し、ベース板部３３を持ち上げたときに、封止部材５が所定距離上昇したところで、ストッパ部５ｅがばね受け６１の段部６１ｂに係合して、封止部材５のそれ以上の上昇が規制されるようにしている。
【００３９】
ところで、第４実施形態では、封止部材５の上フランジ部５ｂを支持パイプ４１に固定し、封止部材５と共に支持パイプ４１がばね６で上方に付勢されるようにしているが、封止部材５のみをばね６で上方に付勢することも可能である。この場合には、ばね受け６１に対し支持パイプ４１を固定し、封止部材５の上フランジ部５ｂを支持パイプ４１に対し摺動自在とする。
【００４０】
次に、図６に示す第５実施形態について説明する。第５実施形態では、ベース板部３３の中心部に上方にのびる筒部３３ｅを立設し、筒部３３ｅの内周空間でセンサ挿通孔３３ｃが構成されるようにしている。尚、筒部３３ｅはベース板部３３に一体成形されているが、ベース板部３３とは別体の筒部をベース板部３３に取付けることも可能である。
【００４１】
筒部３３ｅは上方に向かって縮径するテーパー状に形成され、筒部３３ｅの上端部の内径が感熱ヘッド４２とほぼ同径になるようにしている。そして、筒部３３ｅの上端部内周に感熱ヘッド４２の下部が挿入されて、筒部３３ｅの上端が感熱ヘッド４２で実質的に閉塞されるようにしている。
【００４２】
これによれば、バーナ内周空間に落下した煮こぼれ汁がセンサ挿通孔３３ｃに侵入することを筒部３３ｅで防止することができる。即ち、筒部３３ｅにより防水手段が構成される。また、ベース板部３３を感熱ヘッド４２の上方に抜き取ることができ、ベース板部３３を丸洗いすることが可能になる。
【００４３】
尚、上記第１乃至第５実施形態では、ベース板部３３が天板２から浮いているが、ベース板部３３の外周部を天板１の上面に着座させるようにしても良い。
【００４４】
次に、図７に示す第６実施形態について説明する。第６実施形態では、コンロ本体１内に、バーナ用開口２１に臨む内ケース３６が設置されている。内ケース３６は、環状の底壁部３６ａと、底壁部３６ａの内周から上方にのびる内周壁部３６ｂと、底壁部３６ａの外周から上方にのびる外周壁部３６ｃとを有する。
【００４５】
第６実施形態のバーナ３は、上記第１乃至第５実施形態と同様に、ベース板部３３と支柱部３４と環状のバーナヘッド部３５とを有するバーナ本体３２を備えるが、コンロ本体１内に設置する混合管３１は備えていない。その代わり、ベース板部３３に内ケース３６内に挿入される流入管部３１´が垂設されている。そして、内ケース３７の底壁部３６ａに、流入管部３１´の下端に臨むガスノズル３６ｄを取り付けると共に、ガスノズル３６ｄに燃料ガスを供給するマニホールド部３６ｅを一体成形している。
【００４６】
ベース板部３３は天板２から浮いている。そして、天板２の上方から天板２とベース板部３３との間の隙間を介して内ケース３６に流入する空気が流入管部３１´に一次空気として供給される。従って、コンロ本体１の内圧変化の影響を全く受けることなく、バーナ３に一次空気を供給することができる。
【００４７】
ベース板部３３の中心部には感熱ヘッド４２より大径のセンサ挿通孔３３ｃが形成されている。そして、上記第３実施形態と同様の封止部材５を設けて、封止部材５の上フランジ部５ｂを支持パイプ４１に固定し、封止部材５の下フランジ部５ｃをベース板部３３の下面にねじ止めしている。
【００４８】
尚、第６実施形態のバーナ３を用いる場合、上記第４実施形態と同様に封止部材５をばねで上方に付勢して、封止部材５の下フランジ部５ｃをベース板部３３の下面に押し付けることも可能である。更に、上記第５実施形態と同様に、ベース板部３３の中心部に上方にのびる筒部３３ｅを立設することも可能である。また、図７に示すものでは、ベース板部３３に２個の流入管部３１´が垂設されているが、流入管部３１´の数は１個又は３個以上であっても良い。
【００４９】
以上、本発明の実施形態について図面を参照して説明したが、本発明はこれに限定されない。例えば、上記実施形態では、ベース板部３３の上面の周方向複数箇所に支柱部３４を立設したが、周方向１箇所にのみ支柱部３４を立設することも可能である。
【図面の簡単な説明】
【００５０】
【図１】本発明の第１実施形態のガスコンロの要部の縦断面図。
【図２】図１のＩＩ−ＩＩ線で切断した切断平面図。
【図３】本発明の第２実施形態のガスコンロの要部の縦断面図。
【図４】本発明の第３実施形態のガスコンロの要部の縦断面図。
【図５】本発明の第４実施形態のガスコンロの要部の縦断面図。
【図６】本発明の第５実施形態のガスコンロの要部の縦断面図。
【図７】本発明の第６実施形態のガスコンロの要部の縦断面図。
【符号の説明】
【００５１】
１…コンロ本体、２…天板、２１…バーナ用開口、３…バーナ、３３…ベース板部、３３ｃ…センサ挿通孔、３３ｅ…筒部、３４…支柱部、３５…バーナヘッド部、３５ｂ…炎孔、４…鍋底温度センサ、４１…支持パイプ、４２…感熱ヘッド、５…封止部材、５ａ…筒部、５ｂ…上フランジ部、５ｃ…下フランジ部、６…ばね。
【図１】
2008175506.tif 000003
【図２】
2008175506.tif 000004
【図３】
2008175506.tif 000005
【図４】
2008175506.tif 000006
【図５】
2008175506.tif 000007
【図６】
2008175506.tif 000008
【図７】
2008175506.tif 000009